(57)【特許請求の範囲】
【請求項１】
モジュールと、
このモジュールを収容した凹部が設けられた筐体と、
この凹部の周壁と前記モジュールの脚部を支持した前記凹部の底壁の支持部分との間の前記底壁に形成されたスリットと、
前記凹部の底壁と前記筐体との間で、前記モジュールに重ならない前記周壁に沿った位置に配置されたスペーサーと、
を有する電子機器。
【請求項２】
前記スリットは、少なくとも２つの異なる方向から前記脚部を囲んだ請求項１の電子機器。
【請求項３】
前記スリットの少なくとも一端は、前記脚部よりも前記周壁から離れた位置まで延びた請求項１の電子機器。
【請求項４】
前記スリットとの間で前記脚部を挟んで位置された別のスリットをさらに有する請求項１の電子機器。
【請求項５】
前記筐体は、第１壁と、この第１壁とは反対側に位置されて前記凹部が設けられた第２壁とを有する請求項１乃至請求項４のいずれかの電子機器。
【請求項６】
前記モジュールの脚部と前記凹部の底壁との間に配置された弾性を有する緩衝部材をさらに有し、前記スリットが前記緩衝部材の外縁に沿った形状を有する請求項５の電子機器。
【請求項７】
前記スリットは、当該電子機器に外部から衝撃が加わったとき、前記緩衝部材がまず初めに変形し次に前記底壁が変形するようにコントロールされた幅および／或いは長さを有する請求項６の電子機器。
【発明の詳細な説明】
【技術分野】
【０００１】
本発明の実施形態は、ハードディスクドライブを備えたポータブルコンピューターなどの電子機器に関する。
【背景技術】
【０００２】
例えば、ノート型のポータブルコンピューター（以下、単にノートＰＣと称する）は、持ち運びが可能であるため、落下する危険性がある。ノートＰＣが落下した場合、ハードディスクドライブ（以下、単にＨＤＤと称する）が最も衝撃の影響を受け易く、最悪の場合、ＨＤＤが動作不能になってしまう可能性がある。
【０００３】
このため、ノートＰＣにＨＤＤを取り付ける際には、筐体との間に緩衝部材を介在させて、ノートＰＣの外部から筐体に与えられた衝撃がＨＤＤに伝達されないようにしている。
【先行技術文献】
【特許文献】
【０００４】
【特許文献１】特開２０００−２７７９３５号公報
【発明の概要】
【発明が解決しようとする課題】
【０００５】
しかし、従来の緩衝部材による対策だけでは、ＨＤＤに対する衝撃を十分に吸収することができなかった。
【０００６】
この発明の目的は、外部からハードディスクドライブに与えられる衝撃を効果的に吸収できる電子機器を提供することにある。
【課題を解決するための手段】
【０００７】
実施形態の電子機器は、モジュールと、このモジュールを収容した凹部が設けられた筐体と、この凹部の周壁と前記モジュールの脚部を支持した前記凹部の底壁の支持部分との間の前記底壁に形成されたスリットと、前記凹部の底壁と前記筐体との間で、前記モジュールに重ならない前記周壁に沿った位置に配置されたスペーサーと、を有する。
【図面の簡単な説明】
【０００８】
【図１】図１は、実施形態に係るノートＰＣを示す斜視図である。
【図２】図２は、図１のノートＰＣの本体ユニットを裏側から見た下面図である。
【図３】図３は、図２の本体ユニットの裏面にあるカバーを取り外した状態を示した下面図である。
【図４】図４は、図３の本体ユニットのＦ４−Ｆ４線に沿った断面図である。
【図５】図５は、図４の本体ユニットのＡで示す部分を拡大して示した断面図である。
【図６】図６は、図３の本体ユニットのＨＤＤを取り外した状態を示した下面図である。
【図７】図７（ａ）は、図３の本体ユニットの凹部内に収容配置されるＨＤＤの底面図であり、図７（ｂ）は、このＨＤＤの側面図である。
【図８】図８は、図３の本体ユニットのＦ８−Ｆ８線に沿った断面概略図である。
【図９】図９は、図３の本体ユニットの上面側の本体キャビネットを取り除いた状態の平面図である。
【図１０】図１０は、図３の本体ユニットの外部から衝撃が加わった場合における緩衝構造の実際の変形状態を示す図３に対応した断面概略図である。
【図１１】図１１は、図３の本体ユニットの外部から衝撃が加わった場合における緩衝構造の詳細な挙動を説明するための断面概略図である。
【図１２】図１２は、従来の緩衝構造の挙動を図１１と対比して説明するための断面概略図である。
【図１３】図１３は、第２の実施形態に係る緩衝構造の直線状のスリットを示す部分拡大平面図である。
【図１４】図１４は、第３の実施形態に係る緩衝構造の２本のスリットを示す部分拡大平面図である。
【図１５】図１５は、第４の実施形態に係る緩衝構造のＬ字形のスリットを示す部分拡大平面図である。
【図１６】図１６は、第５の実施形態に係る緩衝構造のＵ字形のスリットを示す部分拡大平面図である。
【図１７】図１７は、第６の実施形態に係る緩衝構造の円弧状のスリットを示す部分拡大平面図である。
【図１８】図１８は、第７の実施形態に係る緩衝構造の略台形のスリットを示す部分拡大平面図である。
【図１９】図１９は、図６の第１の実施形態のスリットの第１の変形例を示す概略図である。
【図２０】図２０は、図６の第１の実施形態のスリットの第２の変形例を示す概略図である。
【図２１】図２１は、図６の第１の実施形態のスリットの第３の変形例を示す概略図である。
【図２２】図２２は、図６の第１の実施形態のスリットの第４の変形例を示す概略図である。
【発明を実施するための形態】
【０００９】
以下に、図１から図１２を参照して、電子機器の実施形態について説明する。本明細書において、手前側（即ちユーザー側）を前方向Ｆ、ユーザーから見て奥側を後方向Ｒ、ユーザーから見て左側を左方向、ユーザーから見て右側を右方向、ユーザーから見て上方を上方向、ユーザーから見て下方を下方向と定義する。
【００１０】
図１に示すように、電子機器の一例であるノートＰＣ１１は、本体ユニット１２と、表示ユニット１３と、本体ユニット１２と表示ユニット１３との間に設けられるヒンジ部１４と、を備えている。ヒンジ部１４は、表示ユニット１３を本体ユニット１２の後端に回転可能に取り付けている。
【００１１】
表示ユニット１３は、ディスプレイ１５と、ディスプレイ１５の周囲を取り囲む合成樹脂製のディスプレイキャビネット１６と、を有している。ディスプレイ１５の一例として、本実施形態では、液晶ディスプレイを表示ユニット１３に搭載した。
【００１２】
図１では、表示ユニット１３を本体ユニット１２に対して起立させてディスプレイ１５を開いた状態を図示しているが、表示ユニット１３を閉じてディスプレイ１５を本体ユニット１２の上面に重ねた図示しない閉じ位置に配置することもできる。
【００１３】
図１から図４に示すように、本体ユニット１２は、例えば、合成樹脂によって箱状に形成される本体キャビネット２１（筐体）と、本体キャビネット２１の上面側に取り付けられたキーボード２２およびタッチパッド２３と、本体キャビネット２１の底面側に開口されて形成されたバスタブ構造の凹部２４（モジュール収容部）と、本体キャビネット２１の内部に収容されたプリント回路板２５と、本体キャビネット２１の凹部２４内に収容配置されるハードディスクドライブ（ＨＤＤ：Hard Disk Drive)２６（モジュール）と、このＨＤＤ２６を収容した凹部２４を覆うためＨＤＤ２６の表面（第１面）に少なくとも一部が対向したカバー２７（カバー部）（図２参照）と、本体キャビネット２１の一部に作りこまれた接続部２８と、を有している。
【００１４】
図５に示すように、本体キャビネット２１は、その内面に、例えばスパッタリング等の手法で形成した金属薄膜であるシールド層３１を有している。シールド層３１は、本体キャビネット２１内部の回路部品等から発生する電磁波が、本体キャビネット２１を透過して外部に漏洩したり、逆に外部からの電磁波が本体キャビネット２１内部の回路部品に悪影響を及ぼしたりすることを防止する。
【００１５】
ＨＤＤ２６は、凹部２４内ではあるが、実質的には、本体キャビネット２１の外部に固定されている。そして、ＨＤＤ２６は、凹部２４内に収容された状態で、本体キャビネット２１内部のプリント回路板２５と電気的に接続される。プリント回路板２５は、ＣＰＵなどの回路部品を有している。凹部２４の開口は、カバー２７によって塞がれる。
【００１６】
図３から図６に示すように、ＨＤＤ２６は、本体キャビネット２１の下面側の開口から凹部２４内に装着したり、凹部２４から取り外したりできるようになっている。ＨＤＤ２６は、金属板金を箱形に折り曲げて形成したケース３２と、このケース３２の内部に収容されるＨＤＤユニットと、ケース３２の外部に取り付けられた取付金具３３と、を有している。ケース３２は、ＨＤＤ２６の外殻をなしている。
【００１７】
接続部２８は、本体キャビネット２１と一体に設けられており、本体キャビネット２１の開口部２９近傍から延びてアーム状に突出している。接続部２８の周囲には、開口部２９が設けられている。接続部２８は、開口部２９内に突出している。接続部２８は、開口部２９を経由してシールド層３１に電気的に接続される。接続部２８は、周囲の本体キャビネット２１と平行な方向に延びている。接続部２８は、電気伝導性を有しており、ケース３２に弾力的に当接してケース３２および取付金具３３の電位とシールド層３１の電位とを同等にする。
【００１８】
接続部２８は、ＨＤＤ２６のケース３２に当接する当接部３４と、当接部３４を片持ちで弾力的に支持する支持部３５と、を有している。当接部３４は、接続部２８の先端部に設けられている。
【００１９】
当接部３４は、支持部３５よりもケース３２に近い位置となるようにケース３２に向けて突出している。図５に示すように、支持部３５は、ケース３２の接触面と略直交（交差）する方向Ｄに当接部３４を進退できるように当接部３４を支持している。また、接続部２８は、合成樹脂製の本体部分３６と、本体部分３６の周囲を取り囲んでいる導電性の被覆層３７と、本体部分３６を厚み方向に貫通している貫通孔３８と、を有している。図６に示すように、貫通孔３８は、長孔として形成されており、接続部２８の延びている方向に沿った方向に長くなっている。
【００２０】
被覆層３７は、本実施形態では、アルミシートで構成されている。被覆層３７は、ＨＤＤ２６のケース３２を本体キャビネット２１のシールド層３１に接地している。
【００２１】
上記構成によれば、筐体の一部に設けられた接続部２８によってＨＤＤ２６のケース３２を筐体のシールド層３１に接地できるため、別途に導電部材が不要となり、部品点数を削減して、その結果製造コストを低減することができる。
【００２２】
また、支持部３５は、ケース３２の接触面と略直交（交差）する方向Ｄに当接部３４を進退可能に片持ちで支持する。この構成によれば、当接部３４を導通部３２に弾力的に接触させる構成を極めて簡単な構造で実現することができる。
【００２３】
さらに、接続部２８は、樹脂製の本体部分３６と、本体部分３６の周囲を覆った導電性の被覆層３７と、を有する。この構成によれば、接続部２８に導電性および弾力性を持たせることができる。支持部３５は、その厚み方向に貫通した貫通孔３８を有し、貫通孔３８は、接続部２８の延びる方向に沿って延びている。この構成によれば、支持部３５により一層弾力性を持たせることができる。
【００２４】
なお、本実施形態では、支持部３５は、当接部３４を片持ちで支持するようになっているが、これに限定されるものではなく、両持ちで当接部３４を支持するものであってもよい。
【００２５】
以下、ＨＤＤ２６を凹部２４内に緩衝的に収容するための緩衝構造４０について説明する。  
その前に、ＨＤＤ２６の外形について図７（ａ）および図７（ｂ）を参照して簡単に説明する。ＨＤＤ２６は、薄い扁平な略矩形ブロック状の外形を有する。ＨＤＤ２６が凹部２４の底壁４１に対向する裏面２６ａ（第２面）には、複数（本実施形態では４つ）の略円筒形の脚部５１（第１突部、当接部）、および円筒形のモーターハウジング５２（第２突部）が突設されている。
【００２６】
モーターハウジング５２は、ＨＤＤ２６の図示しないモーターと対応された位置に設けられている。４つの脚部５１は、それぞれ、矩形の裏面２６ａの周縁近くに配置されている。モーターハウジング５２の裏面２６ａからの突出高さは、各脚部５１の突出高さより低い。
【００２７】
一方、図６に示すように、ＨＤＤ２６が収容配置されるバスタブ構造の凹部２４の底壁４１には、緩衝構造４０の一部として、第１の実施形態に係る４つのコ字形状のスリット４２（開口部）が底壁４１を貫通してそれぞれ形成されている。
【００２８】
これら４つのコ字形状のスリット４２は、それぞれ、上述したＨＤＤ２６の４つの脚部５１に対応して、各脚部５１を囲むように設けられている。図６では、各スリット４２に対する各脚部５１の位置（支持部）を破線で示してある。なお、凹部２４、すなわち底壁４１は、プラスティック材料によって形成されているため、コ字形状のスリット４２で囲まれた底壁４１の部位はバネのように変形可能となっている。
【００２９】
より詳細には、底壁４１に形成されたコ字形状のスリット４２は、ＨＤＤ２６を囲む周壁４３とＨＤＤ２６の脚部５１の当接部位との間の底壁４１に、周壁４３と略平行に形成された第１のスリット４２ａ、およびこの第１のスリット４２ａの両端から互いに略平行に周壁４３から離れる方向にそれぞれ延設された２本の第２のスリット４２ｂをそれぞれ有する。２本の第２のスリット４２ｂは、ＨＤＤ２６の脚部５１の外側を通って脚部５１よりも周壁４３から離れた位置まで延びている。
【００３０】
そして、このコ字形状のスリット４２で囲まれた底壁４１の内面上には、弾性を有する長方形の緩衝部材４４が貼り付けられている。緩衝部材４４は、ＨＤＤ２６の長手方向に沿って延設されている。言い換えると、スリット４２の第１のスリット４２ａおよび第２のスリット４２ｂは、この緩衝部材４４の外縁に沿って延びた形状を有する。
【００３１】
この緩衝部材４４は、ＨＤＤ２６を凹部２４内に収容配置した状態で、ＨＤＤ２６の脚部５１の先端に当接する。言い換えると、４つのスリット４２に対応して設けられた各緩衝部材４４は、凹部２４のスリット４２で囲まれた底壁４１の部位とＨＤＤ２６の脚部５１との間にそれぞれ介在される。
【００３２】
なお、ＨＤＤ２６は、取付金具３３を介して凹部２４に取り付けられている。この取付金具３３は、ＨＤＤ２６の左右方向への動きを許容するように変形可能である。このため、ＨＤＤ２６の各脚部５１を当接せしめた緩衝部材４４の形状は、このＨＤＤ２６の移動方向（すなわち左右方向）に長手方向が沿う形状にされている。
【００３３】
また、凹部２４は、バスタブ構造を有するため、底壁４１の周縁から立ち上がった周壁４３の近くの剛性が高く、底壁４１の中央に近付くに連れて（周壁４３から離れるに連れて）剛性が低くなる。このため、プラスティック材料で形成された底壁４１は、周壁４３から離れるほど変形し易くなる。言い換えると、底壁４１は、周壁４３の近くが最も剛性の高い部位となる。
【００３４】
また、底壁４１には、ＨＤＤ２６を凹部２４に収容した状態で、ＨＤＤ２６のモーターハウジング５２に対向する円形の孔４５（開口部）が当該底壁４１を貫通して形成されている。この底壁４１の孔４５は、落下などによりノートＰＣ１１の外部から衝撃が加えられた際に、ＨＤＤ２６が凹部２４の底壁４１に近付いたとき、モーターハウジング５２が底壁４１に接触することのないように、モーターハウジング５２を逃がすために設けられたものである。このため、底壁４１の孔４５は、モーターハウジング５２の直径より一周り大きな直径（外縁寸法）にされている。
【００３５】
図８に示すように、凹部２４の周壁４３に沿った位置には、凹部２４の底壁４１の裏面４１ａと本体ユニット１２の上面側の本体キャビネット２１（第１壁）の内面２１ａとの間の隙間Ｇを維持するためのスペーサーとして機能する複数のリブ４６が設けられている。これら複数のリブ４６は、凹部２４の底壁４１と本体キャビネット２１との間で、周壁４３に沿って設けられているため、凹部２４内に収容配置されたＨＤＤ２６とは重ならない位置に配置されていることになる。
【００３６】
本実施形態では、図９に示すように、２つのリブ４６をスリット４２から離れた位置で、凹部２４の底壁４１の裏面４１ａから一体に突設せしめた。なお、これらリブ４６の数は、３つ以上であってもよく、ＨＤＤ２６に重なる領域の外側に配置すれば良い。また、これらリブ４６は、本体キャビネット２１の内面２１ａから一体に或いは別体に突設せしめても良い。
【００３７】
複数のリブ４６によって維持された凹部２４の底壁４１と本体キャビネット２１との間の隙間Ｇは、後述するようにコ字形状のスリット４２で囲まれた底壁４１の部位が変形したとき、この底壁４１の変形部位を本体キャビネット２１の内面２１ａに接触させないために設けられている。凹部２４全体は、複数のリブ４６を設けたことで、ノートＰＣ１１の落下等によって本体キャビネット２１に衝撃が加えられた場合であっても、本体キャビネット２１に近付く方向に移動することはない。
【００３８】
また、ギャップＧを設けたため、例えば、図９に示すように、小基板５５をプリント回路板２５に接続するためのフレキシブルプリント配線板５６を、凹部２４の底壁４１と本体キャビネット２１（図９では図示せず）との間の隙間Ｇに配置することもできる。つまり、この位置に配置されるフレキシブルプリント配線板５６は、コ字形状のスリット４２に重ならない位置を通るため、変形する底壁４１の部位が干渉することがない。
【００３９】
以下、上述した緩衝構造４０の動作について、図８とともに図１０および図１１を参照して説明する。なお、ここでは、ノートＰＣ１１の表示ユニット１３を本体ユニット１２の上面に閉じた状態で、表示ユニット１３側を下にしてノートＰＣ１１が落下した場合を想定する。言い換えると、この緩衝構造４０は、この姿勢でノートＰＣ１１が落下したときに最も効果的に機能する。
【００４０】
つまり、図８のように本体ユニット１２の裏面を上にした姿勢でノートＰＣ１１が図示下方に落下すると、表示ユニット１３を介して図示下方から本体キャビネット２１に衝撃が伝達され、本体キャビネット２１の内面２１ａから複数のリブ４６を介して凹部２４の周壁４３に衝撃が直接的に伝えられる。これにより、ＨＤＤ２６に図８で下方に向かう強い力が作用し、図１０に示すように、複数の緩衝部材４４が圧縮変形されるとともに、コ字形状のスリット４２で３方を囲まれた底壁４１の部位が下方に傾倒される。
【００４１】
より具体的には、図１１（ａ）の状態で、ノートＰＣ１１が図示下方に落下すると、本体ユニット１２の上面側の本体キャビネット２１に図示下方から強い衝撃が与えられる。この衝撃は、複数のリブ４６を介して凹部２４の周壁４３に図示下方から伝えられ、その反動で、ＨＤＤ２６が、落下による慣性力で図示下方に移動する。
【００４２】
このとき、まず、図１１（ｂ）に示すように、ＨＤＤ２６の４つの脚部５１に対応して底壁４１との間に配置した緩衝部材４４が圧縮変形して、衝撃を吸収する（第１段階の衝撃吸収）。そして、緩衝部材４４の圧縮変形が限界に達した後、スリット４２で３方を囲まれた底壁４１の部位が、図１１（ｃ）に示すように図示下方に沈み込み、衝撃をさらに吸収する（第２段階の衝撃吸収）。なお、図１１では、説明を分り易くするため、底壁４１の変形を実際の傾倒ではなく下方に向かう直線的な動きとして図示した。
【００４３】
言い換えると、スリット４２の形状、幅、長さ、周壁４３からの距離、底壁４１の厚さ、および緩衝部材４４の材質、厚さなどを、外部からの衝撃を吸収する際に、初めに緩衝部材４４が弾性変形して、その後、底壁４１が弾性変形するように、設定した。
【００４４】
以上のように、本実施形態の緩衝構造４０によると、ノートＰＣ１１に対して上述した方向に沿った衝撃が加えられたとき、第１段階として複数の緩衝部材４４が圧縮変形して衝撃を吸収し、第２段階としてコ字形状のスリット４２で囲まれた底壁４１の部位が弾性変形して衝撃を吸収することができるため、ＨＤＤ２６に作用する振動を殆ど無くすことができる。
【００４５】
これに対し、例えば、図１２に示す従来の緩衝構造（すなわち、底壁４１にスリット４２が無い構造）によると、ノートＰＣ１１の外部から衝撃が加えられたとき、図１２（ｂ）に示すように緩衝部材４４だけが圧縮変形して衝撃を吸収し、凹部２４の底壁４１が殆ど変形しないため、衝撃を十分満足のいく程度に吸収することができない。
【００４６】
特に、本実施形態によると、衝撃を伝えるリブ４６を凹部２４の周壁４３に対向せしめたため、凹部２４の最も剛性の高い部位へ衝撃を逃がすことができ、ＨＤＤ２６に直接伝わる衝撃を殆ど無くすことができる。また、この場合、本実施形態のスリット４２が脚部５１と周壁４３との間の第１のスリット４２ａを有するため、周壁４３を伝って脚部５１に直接伝達される衝撃をカットすることができ、外部からの衝撃をより効果的に吸収できる。
【００４７】
また、本実施形態によると、本体キャビネット２１から凹部２４に衝撃を伝えるリブ４６をＨＤＤ２６の脚部５１から離間した位置に設けたため、リブ４６から脚部５１に衝撃が伝達する間にその振動を十分に減衰させることができ、その分、緩衝性能を高めることができる。
【００４８】
また、本実施形態によると、凹部２４の底壁４１と本体キャビネット２１との間に複数のリブ４６を介在させて両者間の隙間Ｇを確保するようにしたため、スリット４２の内側の底壁４１が変形して本体キャビネット２１に近付いたとき、両者が接触することを防止できる。これにより、変形した底壁４１を介して不所望な振動がＨＤＤ２６に伝達される不具合を防止できる。
【００４９】
また、本実施形態によると、ＨＤＤ２６の裏面２６ａから突出したモーターハウジング５２を逃がすため、凹部２４の底壁４１に孔４５を設けたため、緩衝部材４４が潰れてスリット４２内の底壁４１の部位が変形した際にＨＤＤ２６が底壁４１に近付いた場合であっても、両者が接触する不具合を防止することができ、接触によって、不所望な振動がＨＤＤ２６に伝達されてしまう不具合を防止できる。特に、本実施形態では、上述したような部材同士の接触を避けるため、凹部２４の底壁４１の内面４１ｂ（図６）には、突起物を設けていない。
【００５０】
以下、上述した緩衝構造の他の実施形態、特にスリットの他の実施形態について、いくつかの例を挙げて説明する。なお、以下の説明では、上述した実施形態と同様に機能する構成要素については同一符号を付してその詳細な説明は省略し、変更箇所だけを詳細に説明する。
【００５１】
図１３には、第２の実施形態に係る緩衝構造のスリット６１を示してある。このスリット６１は、ＨＤＤ２６の脚部５１と凹部２４の周壁４３との間の底壁４１の部位に設けられ、緩衝部材４４の長手方向全長を超えて一直線状に延びている。このスリット６１は、リブ４６を介して周壁４３に直接的に伝えられる衝撃を脚部５１に伝え難くするため、最も効果的な位置に配置されており、上述した第１の実施形態のスリット４２のように周壁４３から離れる方向に延びた２本のスリット４２ｂを省略した分、その形状を簡略化できるメリットもある。
【００５２】
図１４には、第３の実施形態に係る緩衝構造の２本のスリット６２ａ、６２ｂを示してある。第３の実施形態の緩衝構造は、第２の実施形態のスリット６１と同じ位置に形成したスリット６２ａに対し、脚部５１を挟んで周壁４３から離間した位置でスリット６２ａと平行に延びたスリット６２ｂを追加した形状を有する。従って、この緩衝構造は、第２の実施形態と比較して少し変形し易い構造を提供する。
【００５３】
図１５には、第４の実施形態に係る緩衝構造のＬ字形のスリット６３を示してある。このスリット６３は、両端が緩衝部材４４の幅を超えて延び、凹部２４の底壁４１の角部に沿って形成されている。このスリット６３も、周壁４３から伝えられる衝撃を効果的に吸収するため、周壁４３と脚部５１との間の底壁４１の部位に設けられている。
【００５４】
図１６には、第５の実施形態に係る緩衝構造のＵ字形のスリット６４を示してある。このスリット６４は、上述した第１の実施形態のスリット４２を９０°回転させた形状、すなわち第３の実施形態の２本のスリット６２ａ、６２ｂの対向する一端部同士を連結した形状を有する。
【００５５】
また、図１７には、第６の実施形態に係る緩衝構造の円弧状のスリット６５を示してあり、図１８には、第７の実施形態に係る緩衝構造として底辺の無い台形状のスリット６６を示してある。この他にスリットの形状はいかなる形状であっても良く、脚部５１と周壁４３との間にスリットの少なくとも一部があれば良い。
【００５６】
さらに、図１９には、上述した第１の実施形態のスリット４２の第１の変形例としてスリットの両端内側を円弧状にしたスリット６７を示してあり、図２０には、第２の変形例としてスリットの両端を円形状にしたスリット６８を示してあり、図２１には、第３の変形例としてスリットの両端を外側に略直角に折り曲げたスリット６９を示してあり、図２２には、第４の変形例としてスリットの両端を内側に略直角に折り曲げたスリット７０を示してある。
【００５７】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００５８】
例えば、上述した実施形態では、ＨＤＤ２６の４つの脚部５１それぞれに対応した４つのスリットを凹部２４の底壁４１に形成した場合について説明したが、これに限らず、脚部５１の数およびスリットの数は、任意に設定可能である。
【００５９】
以下、本願の出願当初の特許請求の範囲に記載された発明を付記する。
【００６０】
［１］
第１面と、この第１面とは反対側に位置された第２面とを有し、周縁に位置されて前記第２面側から突出された複数の第１突部と、前記第１突部よりも内側に位置されるとともに前記第１突部よりも低い高さで前記第２面側から突出された第２突部と、が設けられたハードディスクドライブと、
第１壁と、この第１壁とは反対側に位置されて支持部が設けられた第２壁とを有し、前記第２壁側で開口されるとともに、前記第１突部を支持した底壁と前記ハードディスクドライブを囲む周壁とを有し、前記ハードディスクドライブが収容された凹部が設けられた筐体と、
前記筐体の前記第２壁に取り付けられ、前記ハードディスクドライブの第１面と少なくとも一部が対向するとともに前記凹部を覆ったカバー部と、
を備え、
前記凹部には、前記第１突部近傍であって、前記第１突部よりも前記周壁に寄って位置されるとともに、前記底壁と前記周壁との間に位置された複数の第１のスリットが設けられた
ことを特徴とする電子機器。
【００６１】
［２］
前記底壁には、前記第１のスリットの両端から其々前記第１突部の外側を通って該前記第１突部よりも上記周壁から離れた位置まで延びた第２のスリットが設けられた［１］の電子機器。
【００６２】
［３］
前記ハードディスクドライブと重ならない位置であって、前記筐体内で前記周壁に沿って設けられるとともに、前記底壁と前記第１壁とを離間させるスペーサーを有する［２］の電子機器。
【００６３】
［４］
前記底壁と前記第１突部との間には、弾性を有する緩衝部材が設けられ、
前記第１のスリットと第２のスリットとは、其々前記緩衝部材の外縁に沿って延びた形状を有する［３］の電子機器。
【００６４】
［５］
前記緩衝部材は、長手方向が、前記ハードディスクドライブの長手方向に沿って設けられた［４］の電子機器。
【００６５】
［６］
前記第２突部は、前記ハードディスクドライブのモーターと対応された位置に設けられ、
前記底壁には、前記第２突部よりも大きい外縁寸法を有し、前記第２突部と対応して位置された開口部が設けられた［２］の電子機器。
【００６６】
［７］
前記凹部には、前記第１のスリットとの間で前記第１突部を挟んで位置された第３のスリットが設けられた［１］の電子機器。
【００６７】
［８］
前記周壁には、角部が設けられ、
上記第１のスリットは、前記角部と前記第１突部の間に位置される［１］の電子機器。
【００６８】
［９］
モジュールと、
前記モジュールが収容され、厚さ方向に延びるとともに前記モジュールを囲む壁と、この囲む壁とは交差する方向に延びるとともに前記モジュールが支持される支持部とこの支持部と前記囲む壁との間に位置された開口部とが設けられた支持壁と、を有するモジュール収容部が設けられた筐体と、
を有する電子機器。
【００６９】
［１０］
前記モジュールは、前記支持部に当接されて支持される当接部を有し、
前記開口部は、少なくとも２つの異なる方向から前記当接部を囲んだ［９］の電子機器。
【符号の説明】
【００７０】
１１…ノートＰＣ、１２…本体ユニット、１３…表示ユニット、２１…本体キャビネット、２４…凹部、２６…ＨＤＤ、２７…カバー、４０…緩衝構造、４１…底壁、４２…スリット、４３…周壁、４４…緩衝部材、４５…孔、４６…リブ、５１…脚部、５２…モーターハウジング、５６…フレキシブルプリント配線板、Ｇ…隙間。
【図１】
0005586663.tif 000002
【図２】
0005586663.tif 000003
【図３】
0005586663.tif 000004
【図４】
0005586663.tif 000005
【図５】
0005586663.tif 000006
【図６】
0005586663.tif 000007
【図７】
0005586663.tif 000008
【図８】
0005586663.tif 000009
【図９】
0005586663.tif 000010
【図１０】
0005586663.tif 000011
【図１１】
0005586663.tif 000012
【図１２】
0005586663.tif 000013
【図１３】
0005586663.tif 000014
【図１４】
0005586663.tif 000015
【図１５】
0005586663.tif 000016
【図１６】
0005586663.tif 000017
【図１７】
0005586663.tif 000018
【図１８】
0005586663.tif 000019
【図１９】
0005586663.tif 000020
【図２０】
0005586663.tif 000021
【図２１】
0005586663.tif 000022
【図２２】
0005586663.tif 000023